(57)【要約】【課題】  簡単な構成で、複数の通信装置間の通信を制御し、通信品質を確保する。【解決手段】  通信制御装置１０は、ＩＰネットワーク１に接続する通信部１１と、複数の通信装置７を接続する通信部１３と、ＰＢＸ４を介して複数の電話機３を接続する通信部１５と、通信部１１、通信部１３および通信部１５を介した通信状態を監視する監視部１７と、通信状態に応じて、通信部１３に接続された通信装置７や通信部１５に接続された電話機３および通信部１１に接続された通信部１１上の他の通信装置の間の通信を制御する制御部２３と、を備える。【選択図】  図１
2006020028.tif 000002
【特許請求の範囲】
【請求項１】
ネットワークに接続する第１の接続部と、
複数の通信端末装置を接続する第２の接続部と、
前記第１および第２の接続部を介した通信状態を監視する監視部と、
前記通信状態に応じて、前記第１および第２の接続部を介した通信を制御する制御部と、
を備えたことを特徴とする通信制御装置。
【請求項２】
請求項１に記載の通信制御装置において、
前記通信を制限する条件を指定する指定部を含み、
前記制御部は、前記通信状態に応じて、前記条件に従って、前記通信を制限することを特徴とする通信制御装置。
【請求項３】
請求項１または２に記載の通信制御装置において、
前記通信の種別の優先順位を指定する種別順位テーブルに記憶する種別順位記憶部と、
前記通信の前記種別を判別する種別判別部と、
を含み、
前記制御部は、前記通信状態に応じて、前記種別順位テーブルを参照し、前記種別判別部で判別された前記通信の前記種別の前記優先順位に従って、前記通信を制限することを特徴とする通信制御装置。
【請求項４】
請求項１乃至３いずれかに記載の通信制御装置において、
前記第２の接続部に接続された前記通信端末装置の優先順位を指定する端末順位テーブルに記憶する端末順位記憶部と、
通信中の前記通信端末装置を判別する端末判別部と、
を含み、
前記制御部は、前記通信状態に応じて、前記端末順位テーブルを参照し、前記端末判別部で判別された前記通信端末装置の前記優先順位に従って、前記通信を制限することを特徴とする通信制御装置。
【請求項５】
請求項１乃至４いずれかに記載の通信制御装置において、
前記通信の通信量を計測する計測部と、
前記通信量が所定の値を超えたかを検知する通信量検知部と、を含み、
前記制御部は、前記通信量が前記所定の値を超えた場合、前記通信を制限することを特徴とする通信制御装置。
【請求項６】
請求項１乃至５いずれかに記載の通信制御装置において、
現在時刻を示す時計と、
前記現在時刻が所定の時間帯に含まれるか否かを判定する判定部と、を含み、
前記制御部は、前記現在時刻が前記所定の時間帯に含まれる場合、前記通信を制限することを特徴とする通信制御装置。
【発明の詳細な説明】
【技術分野】
【０００１】
本発明は、通信制御装置に関し、特に、複数の通信装置間の通信を制御する通信制御装置に関する。
【背景技術】
【０００２】
近年、ＡＤＳＬ、ＣＡＴＶや光ファイバなどのブロードバンドネットワークによる通信サービスは急速に普及しつつある。また、社内や家庭内で、複数の通信装置からインターネットなどのＩＰネットワークへの接続を行うためにＬＡＮを構築するケースも増えてきた。ユーザのニーズに応えるべく、提供される通信サービスもデータ通信、音声や映像のリアルタイム再生、ＩＰ電話通信など、多様化してきている。ブロードバンドルータは、これらの様々な種類の通信装置を複数同一ＬＡＮを介してＩＰネットワークに接続し、制御する。
【０００３】
このような通信システムにおいて、そのパケット通信網内のサーバと通信を行う際にその受ける通信サービスの品質を表すＱｏＳ（Quality of Service）のパラメータ（最大ビットレート、パケット誤り率など）を設定することができるシステムが提案されている。
【０００４】
特許文献１には、ユーザの希望にあった品質での通信サービスを受けることができるようにした通信端末装置が開示されている。この通信端末装置では、所定のネットワークを介して通信を行うに際し、ユーザの要求する通信サービスの品質を示す要求ＱｏＳの各パラメータの設定が可能である。この通信端末装置は、要求ＱｏＳおよびネットワークの状態に基づいてネットワーク側にて決定された決定ＱｏＳと、要求ＱｏＳと、が異なる場合に、通信を継続するか切断するかのいずれかをユーザの意志に基づいて選択する通信制御手段を有する。
【特許文献１】特開２００１−３５２３６４号公報
【発明の開示】
【発明が解決しようとする課題】
【０００５】
ところで、複数の通信装置が接続されたルータにおいては、通信が集中すると、ＩＰネットワークにおける通信速度が低下してしまうといった問題点があった。特に、ＩＰ電話などでは、音声が途切れたり、通話が途絶えてしまったりする可能性があり、通信品質の確保は最大の課題であり、高品質での通信サービスの提供が望まれる。
【０００６】
本発明は、上記背景の下でなされたものであり、その目的は、簡単な構成で、複数の通信装置間の通信を制御し、通信品質を確保できる通信制御装置を提供することにある。
【課題を解決するための手段】
【０００７】
本発明の通信制御装置は、ネットワークに接続する第１の接続部と、複数の通信端末装置を接続する第２の接続部と、前記第１および第２の接続部を介した通信状態を監視する監視部と、前記通信状態に応じて、前記第１および第２の接続部を介した通信を制御する制御部と、を備える。
【０００８】
ここで、通信制御装置は、ブロードバンドルータなどであり、複数の通信端末装置をインターネットなどのＩＰネットワークに接続する。また、監視部は、たとえば、ＩＰネットワークにおける通信量が所定の値を超えたか否か、あるいは所定の通信時間帯であるかなどの通信状態を監視する。また、監視部は、複数の通信端末装置の通信状態を監視する。
【０００９】
この発明によれば、複数の通信端末装置からネットワークへの通信の状態などに応じて、通信を制限することができ、通信品質を確保することができる通信制御装置が提供される。
【００１０】
上記通信制御装置において、前記通信を制限する条件を指定する指定部を含むことができ、前記制御部は、前記通信状態に応じて、前記条件に従って、前記通信を制限することができる。
【００１１】
ここで、通信を制限する条件とは、たとえば、通信されるデータの種別である。たとえば、リアルタイム再生の必要なマルチメディアデータ通信と、それ以外のデータ通信とでは、リアルタイム再生の必要なマルチメディアデータ通信の方が優先され、それ以外のリアルタイム再生の必要のないデータ通信は制限される。あるいは、通信状態に応じて、特定の通信端末装置の通信を制限することを条件として指定することもできる。たとえば、通話を行うＩＰ電話を優先し、パーソナルコンピュータにおける通信は通信状態に応じて制限することもできる。通信の制限は、通信の一時停止、通信切断、通信開始要求の受け付け拒否、ビジー通知などであってもよい。あるいは、パーソナルコンピュータの通信を優先してもよく、その場合は、ＩＰ電話の新たな着呼要求に応答しないという制限をすることもできる。
【００１２】
この構成によれば、指定された条件に従って通信を制御することができるので、通信が集中した場合などにニーズにあった通信の品質を確保することができる。
【００１３】
上記通信制御装置において、前記通信の種別の優先順位を指定する種別順位テーブルに記憶する種別順位記憶部と、前記通信の前記種別を判別する種別判別部と、を含むことができ、前記制御部は、前記通信状態に応じて、前記種別順位テーブルを参照し、前記種別判別部で判別された前記通信の前記種別の前記優先順位に従って、前記通信を制限することができる。
【００１４】
ここで、通信の種別とは、たとえば、動画や音声などのマルチメディアデータをリアルタイムに再生するマルチメディア通信や、それ以外の文字データ、静止画データ、プログラムデータなどを送受信するデータ通信などがある。
【００１５】
この構成によれば、予め指定された通信の種別の優先順位に従って通信を制御することができるので、通信が集中した場合などに必要な通信の品質を確保することができる。たとえば、リアルタイムに音声を再生する必要があるＩＰ電話による通話などの通信を優先し、データ通信のようにリアルタイムに処理する必要がない通信は制限することが可能となる。
【００１６】
上記通信制御装置において、前記第２の接続部に接続された前記通信端末装置の優先順位を指定する端末順位テーブルに記憶する端末順位記憶部と、通信中の前記通信端末装置を判別する端末判別部と、を含むことができ、前記制御部は、前記通信状態に応じて、前記端末順位テーブルを参照し、前記端末判別部で判別された前記通信端末装置の前記優先順位に従って、前記通信を制限することができる。
【００１７】
ここで、通信制御装置に接続される通信端末装置は、たとえば、電話機、電話交換機、パーソナルコンピュータ、インターネットファクシミリ装置などが含まれる。
【００１８】
この構成によれば、予め登録された通信端末装置の優先順位に従って通信を制御することができるので、通信が集中した場合などに必要な通信の品質を確保することができる。
【００１９】
上記通信制御装置において、前記通信の通信量を計測する計測部と、前記通信量が所定の値を超えたかを検知する通信量検知部と、を含むことができ、前記制御部は、前記通信量が前記所定の値を超えた場合、前記通信を制限することができる。
【００２０】
この構成によれば、複数の通信端末装置からネットワークへの通信が集中した場合に、通信を制限することにより、通信品質を確保することができる通信制御装置が提供される。
【００２１】
上記通信制御装置において、現在時刻を示す時計と、前記現在時刻が所定の時間帯に含まれるか否かを判定する判定部と、を含むことができ、前記制御部は、前記現在時刻が前記所定の時間帯に含まれる場合、前記通信を制限することができる。
【００２２】
この構成によれば、複数の通信端末装置からネットワークへの通信が集中する可能性のある時間帯を予め指定して、通信を制限することにより、通信品質を確保することができる通信制御装置が提供される。
【００２３】
なお、以上の構成要素の任意の組合せ、本発明の表現を方法、装置、システム、記録媒体、コンピュータプログラムなどの間で変換したものもまた、本発明の態様として有効である。
【発明の効果】
【００２４】
上述のように、本発明によれば、簡単な構成で、複数の通信装置間の通信を制御し、通信の品質を確保できる通信制御装置が提供される。
【発明を実施するための最良の形態】
【００２５】
以下、本発明の実施の形態を図面を参照して説明する。
（第一の実施の形態）
図１は、本実施の形態の通信制御装置の構成を示す機能ブロック図である。通信制御装置１０は、複数の電話機３（図中、「ＴＥＬ１」、「ＴＥＬ２」、および「ＴＥＬ３」と示す）がＰＢＸ４を介して接続され、複数の電話機３とインターネットなどのＩＰネットワーク１上の他の通信装置（不図示）と通話可能に接続する。通信制御装置１０は、たとえば、ＶｏＩＰアダプタを含むこともできる。あるいは、通信制御装置１０は、ＶｏＩＰアダプタと接続されてもよい。通信制御装置１０は、さらに、ＬＡＮなどのネットワーク（図中「ＬＡＮ」と示す）５を介してパーソナルコンピュータやインターネットファクシミリ装置などの複数の通信装置（図中、「ＰＣ１」および「ＰＣ２」と示す）７と接続され、複数の通信装置７をＩＰネットワーク１に接続させる。
【００２６】
通信制御装置１０は、ブロードバンドルータなどであり、様々な種類の通信装置、たとえば、電話機３、通信装置７などと、ＩＰネットワーク１上の通信装置との間の通信を制御するものである。また、通信制御装置１０を介してＩＰネットワーク１上の通信装置と、電話機３や通信装置７との間の通信は、動画や音声などのマルチメディアデータをリアルタイムに再生するマルチメディア通信や、それ以外の文字データ、静止画データ、プログラムデータなどを送受信するデータ通信などがある。
【００２７】
なお、図１において、本発明の本質に関わらない部分の構成については省略してある。
【００２８】
また、通信制御装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２９】
通信制御装置１０は、通信部１１と、通信部１３と、通信部１５と、監視部１７と、順位テーブル記憶部１９（図中、「順位テーブル」と示す）と、判定部２１と、制御部２３と、を含む。
【００３０】
通信部１１は、ＩＰネットワーク１上の複数の通信装置と通信制御装置１０とのインタフェース部である。通信部１１は、ＩＰネットワーク１に接続するための各種回線に対応したモデム（不図示）やアダプタ（不図示）を含んでもよい。通信部１３は、ネットワーク５上の複数の通信装置７と通信制御装置１０とのインタフェース部である。通信部１５は、ＰＢＸ４を介して接続された複数の電話機３と、通信制御装置１０とのインタフェース部である。あるいは、通信部１５は、直接電話機３と接続することもできる。または、通信部１５は、ＶｏＩＰアダプタと接続することもできる。また、通信制御装置１０は、ＶｏＩＰアダプタを含むこともできる。
【００３１】
監視部１７は、通信部１１を介したＩＰネットワーク１上の通信装置と通信制御装置１０との間の通信状態を監視する。ここでは、通信部１１での通信量が所定の値を超えているかを監視する。順位テーブル記憶部１９は、通信部１１での通信を制限する条件を指定する順位テーブルを記憶する。
【００３２】
図２は、順位テーブル記憶部１９に記憶される順位テーブルの一例を示す図である。順位テーブル２７は、通信部１１でＩＰネットワーク１上の通信装置と通信制御装置１０との間の通信種別毎に優先順位を指定する。通信種別とは、たとえば、動画や音声などのマルチメディアデータをリアルタイムに再生するマルチメディア通信や、それ以外の文字データ、静止画データ、プログラムデータなどを送受信するデータ通信などがある。
【００３３】
本実施の形態では、リアルタイム再生の必要なマルチメディアデータ通信と、それ以外のリアルタイム再生の必要のないデータ通信とでは、リアルタイム再生の必要なマルチメディアデータ通信の方が優先される。さらに、マルチメディアデータ通信では、データの種類によって、たとえば、音声、動画の順に優先される。したがって、順位テーブル２７では、通信状態に応じて、マルチメディアデータ以外のデータ通信が制限されるように優先順位が、音声、動画、データの順に指定されている。
【００３４】
通信部１１における通信状態に応じて、たとえば、通信部１１での通信量が所定の値を超えている場合、順位テーブル２７の優先順位に従って、制御部２３は通信種別ごとに通信を制限する。
【００３５】
図１に戻り、判定部２１は、順位テーブル２７を参照し、指定されている条件に従って通信部１１での通信を制限するか否かを判別する。制御部２３は、判定部２１からの判定結果に基づいて、通信部１１の通信を制限する。また、制御部２３は、監視部１７で監視された通信状態に応じて、通信部１１の通信を制限する。
【００３６】
図３は、本実施の形態の通信制御装置１０の動作を示すフローチャートである。
【００３７】
まず、監視部１７は、通信部１１での通信状態を監視する（Ｓ１１）。ここでは、通信部１１での通信量が所定値を超えているか否かを判定する。通信量が所定値を超えている場合（Ｓ１１のＹＥＳ）、判定部２１は、順位テーブル２７を参照する（Ｓ１３）。つづいて、判定部２１は、順位テーブル２７に従って、通信部１１の通信制御処理を行う（Ｓ１５）。通信制御処理については、後述する。なお、上記の動作は繰り返し行われる。
【００３８】
図４は、図３の通信制御処理の手順を示すフローチャートである。
【００３９】
まず、判定部２１は、順位テーブル２７の優先順位が１番低いデータ通信の制限を行う。判定部２１は、通信部１１でデータ通信が行われているか否かを判定し（Ｓ２１）、データ通信中は（Ｓ２１のＹＥＳ）、制御部２３が通信部１１でのデータ通信を一時停止させる（Ｓ２３）。
【００４０】
一方、データ通信が行われていない場合（Ｓ２１のＮＯ）、判定部２１は、順位テーブル２７の優先順位が２番目に低い動画通信の制限を行う。判定部２１は、通信部１１で動画通信が行われているか否かを判定し（Ｓ２５）、動画通信中は（Ｓ２５のＹＥＳ）、制御部２３が通信部１１での動画通信を一時停止させる（Ｓ２７）。一方、動画通信が行われていない場合（Ｓ２５のＮＯ）、そのまま処理を終了する。この場合、音声通信のみが実行されていることとなる。
【００４１】
以上のように構成された通信制御装置１０で、電話機３「ＴＥＬ１」と通信装置７「ＰＣ２」が通信中に、通信量が所定の値を超えた場合について、以下に図１乃至図４を用いて説明する。
【００４２】
まず、図３に示すように、監視部１７は、通信部１１での通信量が所定値を超えていることを検知する（Ｓ１１のＹＥＳ）。判定部２１は、順位テーブル２７を参照し（Ｓ１３）、判定部２１は、順位テーブル２７に従って、通信部１１の通信制御処理を行う（Ｓ１５）。
【００４３】
つづいて、図４に示すように、判定部２１は、通信部１１で、通信装置７「ＰＣ２」においてデータ通信が行われていることを検知し（Ｓ２１のＹＥＳ）、制御部２３が通信部１１での通信装置７「ＰＣ２」とのデータ通信を一時停止させる（Ｓ２３）。
【００４４】
この結果、通信制御装置１０では、電話機３「ＴＥＬ１」のみがＩＰネットワーク１との通信を確立することとなり、通信量が減るので、電話機３における通信の品質を確保することができる。なお、制御部２３は、電話機３における通話が終了後、通信装置７「ＰＣ２」のデータ通信を再開してもよい。
【００４５】
以上説明したように、本実施の形態によれば、複数の通信端末装置からＩＰネットワーク１への通信の状態などに応じて、通信を制限することができ、通信品質を確保することができる。また、順位テーブルに指定された条件に従って通信を制御することができるので、通信が集中した場合などにニーズにあった通信の品質を確保することができる。
（第二の実施の形態）
図５は、本実施の形態の通信制御装置１０の順位テーブル記憶部１９に記憶される順位テーブル２９の他の例を示す図である。本実施の形態の通信制御装置１０は、上記実施の形態の通信制御装置１０とは、順位テーブル記憶部１９に記憶され、判定部２１で参照される順位テーブルが相違する。
【００４６】
順位テーブル２９は、通信部１１を介してＩＰネットワーク１上の通信装置と通信を行う通信端末装置毎に優先順位を指定する。この例では、ＰＢＸ４を介して接続される複数の電話機３との通信が優先され、通信状態に応じて、ネットワーク５を介して接続される複数の通信装置７との通信が制限されるように優先順位が指定されている。
【００４７】
図６は、本実施の形態の通信制御装置１０の通信制御処理の手順を示すフローチャートである。なお、本実施の形態の通信制御装置１０は、図３に示した上記実施の形態の通信制御装置１０と同様な動作を行い、図３のステップＳ１５から以下に示す通信制御処理を実行する。
【００４８】
まず、判定部２１は、順位テーブル２９を参照し、通信中の端末の優先順位を確認する（Ｓ３１）。ここで、どの端末が通信中であるかは、監視部１７が監視する。監視部１７から通信中の端末の通知を受け、判定部２１は、順位テーブル２９を参照して、優先順位を確認する。つづいて、制御部２３は、優先順位に従って、該当する端末の通信を制限する（Ｓ３３）。
【００４９】
以上のように構成された通信制御装置１０において、電話機３のうち「ＴＥＬ１」よび「ＴＥＬ２」が通話中で、かつ通信装置７の「ＰＣ１」がデータ通信中であった場合について、図１、図３、図５、および図６を用いて説明する。
【００５０】
図３において、監視部１７が通信量が所定の値を超えたことを検知した場合（Ｓ１１のＹＥＳ）、判定部２１は、図５の順位テーブル２９を参照し（Ｓ１３）、通信制御処理を行う（Ｓ１５）。
【００５１】
図６において、監視部１７は、通信中の端末がＴＥＬ１、ＴＥＬ２、およびＰＣ１であることを検知し、判定部２１は、各端末の優先順位を順位テーブル２９を参照して確認する（Ｓ３１）。ここで、ＴＥＬ１の優先順位は１位、ＴＥＬ２の優先順位は２位、ＰＣ１の優先順位は４位である。従って、制御部２３は、優先順位が４位のＰＣ１の通信を一時停止するなど制限する（Ｓ３３）。これにより、通信量が低下し、ＴＥＬ１およびＴＥＬ２の通話における通信品質が確保されることとなる。
【００５２】
その後もさらに図３において、監視部１７が通信量が所定の値を超えたことを検知した場合（Ｓ１１のＹＥＳ）、判定部２１は、図５の順位テーブル２９を参照し（Ｓ１３）、通信制御処理を行う（Ｓ１５）。
【００５３】
図６において、監視部１７は、通信中の端末がＴＥＬ１およびＴＥＬ２であることを検知し、判定部２１は、各端末の優先順位を順位テーブル２９を参照して確認する（Ｓ３１）。ここで、ＴＥＬ１の優先順位は１位、ＴＥＬ２の優先順位は２位である。従って、制御部２３は、優先順位が２位のＴＥＬ２の通信を一時停止するなど制限する（Ｓ３３）。これにより、通信量が低下し、ＴＥＬ１の通話における通信品質が確保されることとなる。
【００５４】
また、ＴＥＬ１の通話が終了した後、制御部２３は、ＴＥＬ２およびＰＣ１の通信を順次再開させることもできる。
【００５５】
以上説明したように、本実施の形態によれば、順位テーブル２９に指定されている端末の優先順位に従って、通信を制御することができるので、通信が集中した場合などにニーズにあった通信の品質を確保することができる。
【００５６】
以上に本発明の好適な実施の形態を説明した。しかし、本発明は上述の実施の形態に限定されず、当業者が本発明の範囲内で上述の実施の形態を変形可能なことはもちろんである。
【００５７】
たとえば、上記実施の形態では、監視部１７は、通信状態として、通信量が所定の値を超えているかを監視していたが、監視部１７は、所定の時間帯であるか監視してもよい。この場合、通信制御装置１０は、現在時刻を示す時計（不図示）を含み、判定部２１は、現在時刻が所定の時間帯に含まれるか否かを判定する。所定の時間帯である場合は、制御部２３は、通信部１１での通信を制御する。また、これら監視部１７において監視される通信状態は、通信量と通信時間帯の両方を組み合わせることも可能である。
【００５８】
この構成によれば、複数の通信端末装置からネットワークへの通信が集中する可能性のある時間帯を予め指定して、通信を制限することにより、通信品質を確保することができる通信制御装置が提供される。
【００５９】
また、他の実施の形態において、判定部２１で参照する順位テーブルは、順位テーブル２７と順位テーブル２９を組み合わせることもできる。
【００６０】
さらに、他の実施の形態において、制御部２３による通信の制限は、通信の一時停止の他に、通信切断、通信開始要求の受け付け拒否、ビジー通知、あるいはＩＰ電話などの新たな着呼要求の応答拒否などでもよい。
【００６１】
また、上記実施の形態において、監視部１７は、通信部１１を介してＩＰネットワーク１上の通信装置と通信制御装置１０との間の通信状態を監視しているが、これに限定されるものではない。たとえば、監視部１７は、通信部１３および通信部１５を介してネットワーク５上の通信装置７およびＰＢＸ４を介して電話機３と通信制御装置１０との間の通信状態をそれぞれ監視することもできる。ここで、通信状態とは、通信装置７との間の通信量が所定の値を超えているかの状態、電話機３の通話状態、所定の時間帯などを含む。
【産業上の利用可能性】
【００６２】
本発明にかかる通信制御装置は、簡単な構成で、複数の通信装置間の通信を制御し、通信品質を確保できるという効果を有し、複数の通信装置間の通信を制御する通信制御装置等として有用である。
【図面の簡単な説明】
【００６３】
【図１】本実施の形態の通信制御装置の構成を示すブロック図である。
【図２】図１の通信制御装置の順位テーブルの一例を示す図である。
【図３】図１の通信制御装置の動作を示すフローチャートである。
【図４】図１の通信制御装置の通信制御処理の手順を示すフローチャートである。
【図５】図１の通信制御装置の順位テーブルの他の例を示す図である。
【図６】図５の順位テーブルを用いた通信制御処理の手順を示すフローチャートである。
【符号の説明】
【００６４】
１  ＩＰネットワーク
３  電話機
５  ネットワーク
７  通信装置
１０  通信制御装置
１１  通信部
１３  通信部
１５  通信部
１７  監視部
１９  順位テーブル記憶部
２１  判定部
２３  制御部
２７  順位テーブル
２９  順位テーブル
【図１】
2006020028.tif 000003
【図２】
2006020028.tif 000004
【図３】
2006020028.tif 000005
【図４】
2006020028.tif 000006
【図５】
2006020028.tif 000007
【図６】
2006020028.tif 000008